(57)【要約】【課題】システムの設定作業および障害判定が容易なデジタル映像記録システムを提供することを課題とする。【解決手段】システムの運用前に、記録装置の測定部３１１は、各カメラ１に開始要求データ５０を送信する。各カメラ１は、それぞれ開始要求データ５０を受信するとダミーデータ５１を記録装置に返信する。測定部３１１は、全てのカメラ１から送信されたダミーデータ５１の最終パケットを受信するまでの時間を測定することによりシステム全体の伝送速度を得る。パラメータ決定部３１２は、測定された伝送速度に応じて、ユーザ要求条件を満たす最適のカメラ設定用パラメータを決定し、そのパラメータをカメラ１に送信する。パラメータを設定する際には、記録装置が蓄積可能なデータ容量も考慮される。【選択図】        図４
2004363781.tif 000002
【特許請求の範囲】
【請求項１】
デジタル映像を記録するシステムであって、
ネットワークに接続された複数のカメラと、
前記複数のカメラからネットワーク経由で受信するデジタル映像を記録する記録装置と、
を備え、
前記記録装置は、
前記システムの運用前に、前記複数のカメラと前記記録装置との間の伝送品質を測定する測定手段、
を備えることを特徴とするデジタル映像記録システム。
【請求項２】
請求項１に記載のデジタル映像記録システムにおいて、
前記測定手段は、
前記システムの運用前に、前記複数のカメラに対して測定開始データを送信する手段、
を備え、
前記複数のカメラは、
前記測定開始データを受信した際、前記記録装置に対して運用時に送信するデータを想定して作成された擬似データを送信する手段、
を備え、
前記測定手段は、複数のパケットとして分割して送信される前記擬似データのうち、全てのカメラから送信された最終のパケットを受信するまでの時間からシステム全体の伝送速度を測定することを特徴とするデジタル映像記録システム。
【請求項３】
請求項２に記載のデジタル映像記録システムにおいて、
前記測定手段は、前記擬似データの全てのパケットを受信したか否かによって伝送品質を測定することを特徴とするデジタル映像記録システム。
【請求項４】
請求項２または請求項３に記載のデジタル映像記録システムにおいて、
前記記録装置は、さらに、
測定した前記伝送速度に応じて、カメラに設定するパラメータを決定し、当該パラメータを前記ネットワークを介して前記複数のカメラに送信するパラメータ決定手段、
を備えることを特徴とするデジタル映像記録システム。
【請求項５】
請求項４に記載のデジタル映像記録システムにおいて、
前記記録装置は、さらに、
取得するデジタル映像のユーザ要求条件を設定する条件設定手段、
を備え、
前記パラメータ決定手段は、
前記ユーザ要求条件を満足するように前記パラメータを決定する手段、
を含むことを特徴とするデジタル映像記録システム。
【請求項６】
請求項４または請求項５に記載のデジタル映像記録システムにおいて、
前記パラメータ決定手段は、
前記記録装置が蓄積することのできるデジタル映像のデータ容量に応じて前記パラメータを決定する手段、
を含むことを特徴とするデジタル映像記録システム。
【請求項７】
デジタル映像を記録するシステムであって、
ネットワークに接続された複数のカメラと、
前記複数のカメラからネットワーク経由で受信するデジタル映像を記録する記録装置と、
を備え、
前記記録装置は、
前記複数のカメラと前記記録装置との間の通信速度のログを取得する手段と、
障害発生時に想定される通信速度の変化パターンと、前記ログとを比較することにより、障害種別を判定する判定手段と、
を備えることを特徴とするデジタル映像記録システム。
【請求項８】
請求項７に記載のデジタル映像記録システムにおいて、
前記判定手段は、
前記変化パターンとマッチングするログが取得されたカメラの台数に応じて障害種別を判定する手段、
を含むことを特徴とするデジタル映像記録システム。
【請求項９】
デジタル映像を記録するシステムであって、
ネットワークに接続された複数のカメラと、
前記複数のカメラからネットワーク経由で受信するデジタル映像を記録するとともに、前記複数のカメラにＩＰアドレスを付与するＤＨＣＰサーバとしての機能を備える記録装置と、
を備え、
前記記録装置は、
前記複数のカメラに対応するＭＡＣアドレス体系と異なるアドレス体系のＭＡＣアドレスを有するノードに対しては、ＩＰアドレスの付与を禁止する手段、
を備えることを特徴とするデジタル映像記録システム。
【発明の詳細な説明】
【０００１】
【発明の属する技術分野】
本発明は、デジタル映像を記録するネットワークシステムに関する。
【０００２】
【従来の技術】
従来、カメラで撮影したアナログ映像を専用ケーブルを介して記録装置に転送するシステムが存在する。記録装置では、受信したアナログ映像がテープ等に記録される。このような従来のシステムは、設定すべき項目や確認すべき項目の数も少なく、システムの構築時や運用時の設定作業は比較的容易であった。
【０００３】
これに対して、最近では、カメラで撮影したデジタル映像をネットワーク経由で記録装置に転送するシステムが存在する。記録装置では、受信したデジタル映像がハードディスク等に保存される。
【０００４】
【発明が解決しようとする課題】
デジタル映像を記録するシステムでは、映像の劣化がなく鮮明な映像を記録することができるといったメリットや、映像の加工や分析を様々に行うことができるなどのメリットがある。また、デジタル映像を伝送するネットワークシステムについても、汎用的なＩＰネットワークを利用することができるなど拡張性が高く、様々なメリットがある反面、設定する者に、ネットワーク知識が要求されることになる。
【０００５】
また、ネットワークは、一般に、ケーブル、ハブ、ルータなど様々な部品や機器で構成されているため、従来のアナログシステムに比べて設定要素の数も多い。また、カメラに対する設定項目もアナログのカメラに比べて多い。したがって、デジタル映像記録システムを運用するためには、その設定作業にかかる負担が大きい。このため、設定作業が適正に行われていない場合には、システムが期待されるような伝送品質を実現できない場合が発生する。また、運用後においてネットワークに障害が発生している場合に、障害箇所を特定することが困難であるという問題もある。
【０００６】
そこで、本発明は前記問題点に鑑み、設定作業が容易で、障害箇所の特定が容易なデジタル映像記録システムを提供することを目的とする。
【０００７】
【課題を解決するための手段】
上記課題を解決するため、請求項１記載の発明は、デジタル映像を記録するシステムであって、ネットワークに接続された複数のカメラと、前記複数のカメラからネットワーク経由で受信するデジタル映像を記録する記録装置と、を備え、前記記録装置は、前記システムの運用前に、前記複数のカメラと前記記録装置との間の伝送品質を測定する測定手段、を備えることを特徴とする。
【０００８】
請求項２記載の発明は、請求項１に記載のデジタル映像記録システムにおいて、前記測定手段は、前記システムの運用前に、前記複数のカメラに対して測定開始データを送信する手段、を備え、前記複数のカメラは、前記測定開始データを受信した際、前記記録装置に対して運用時に送信するデータを想定して作成された擬似データを送信する手段、を備え、前記測定手段は、複数のパケットとして分割して送信される前記擬似データのうち、全てのカメラから送信された最終のパケットを受信するまでの時間からシステム全体の伝送速度を測定することを特徴とする。
【０００９】
請求項３記載の発明は、請求項２に記載のデジタル映像記録システムにおいて、前記測定手段は、前記擬似データの全てのパケットを受信したか否かによって伝送品質を測定することを特徴とする。
【００１０】
請求項４記載の発明は、請求項２または請求項３に記載のデジタル映像記録システムにおいて、前記記録装置は、さらに、測定した前記伝送速度に応じて、カメラに設定するパラメータを決定し、当該パラメータを前記ネットワークを介して前記複数のカメラに送信するパラメータ決定手段、を備えることを特徴とする。
【００１１】
請求項５記載の発明は、請求項４に記載のデジタル映像記録システムにおいて、前記記録装置は、さらに、取得するデジタル映像のユーザ要求条件を設定する条件設定手段、を備え、前記パラメータ決定手段は、前記ユーザ要求条件を満足するように前記パラメータを決定する手段、を含むことを特徴とする。
【００１２】
請求項６記載の発明は、請求項４または請求項５に記載のデジタル映像記録システムにおいて、前記パラメータ決定手段は、前記記録装置が蓄積することのできるデジタル映像のデータ容量に応じて前記パラメータを決定する手段、を含むことを特徴とする。
【００１３】
請求項７記載の発明は、デジタル映像を記録するシステムであって、ネットワークに接続された複数のカメラと、前記複数のカメラからネットワーク経由で受信するデジタル映像を記録する記録装置と、を備え、前記記録装置は、前記複数のカメラと前記記録装置との間の通信速度のログを取得する手段と、障害発生時に想定される通信速度の変化パターンと、前記ログとを比較することにより、障害種別を判定する判定手段と、を備えることを特徴とする。
【００１４】
請求項８記載の発明は、請求項７に記載のデジタル映像記録システムにおいて、前記判定手段は、前記変化パターンとマッチングするログが取得されたカメラの台数に応じて障害種別を判定する手段、を含むことを特徴とする。
【００１５】
請求項９記載の発明は、デジタル映像を記録するシステムであって、ネットワークに接続された複数のカメラと、前記複数のカメラからネットワーク経由で受信するデジタル映像を記録するとともに、前記複数のカメラにＩＰアドレスを付与するＤＨＣＰサーバとしての機能を備える記録装置と、を備え、前記記録装置は、前記複数のカメラに対応するＭＡＣアドレス体系と異なるアドレス体系のＭＡＣアドレスを有するノードに対しては、ＩＰアドレスの付与を禁止する手段、を備えることを特徴とする。
【００１６】
【発明の実施の形態】
＜１．システム概要＞
以下、図面を参照しつつ本発明の実施の形態について説明する。図１は、本発明の実施の形態にかかるデジタル映像記録システムの全体概略図である。デジタル映像記録システムは、複数のカメラ１，１，・・・を備えており、これら複数のカメラ１，１，・・・は、それぞれ周辺映像を撮影する。カメラ１は、撮影した映像をデジタル映像に変換する機能や、デジタル映像をネットワーク経由で送信する通信機能を備えている。このような機能を備えたカメラとしては、いわゆるネットワークカメラと呼ばれるものが存在する。
【００１７】
このようなデジタル映像記録システムは、たとえば、ビル内の複数箇所にカメラ１が設置され、各カメラ１が撮影した映像が管理センタなどのモニタに表示されることによって監視用途などに用いられる。このようなシステムは、デジタルＣＣＴＶ（ｃｌｏｓｅｄ−ｃｉｒｃｕｉｔ  ｔｅｌｅｖｉｓｉｏｎ）システムなどと呼ばれたりする。
【００１８】
カメラ１，１・・・が接続されるネットワーク２は、本実施の形態においてはＬＡＮである。ネットワーク２は、通信ケーブル２１、ＨＵＢ２２などから構成される。図中、１つのＨＵＢ２２を図示しているが、カメラ１の台数に応じて複数のＨＵＢ２２が並列的にあるいは階層構造をもって接続される。また、ルータを接続して複数のセグメントからなるネットワークを構成するようにしてもよい。
【００１９】
ハードディスクレコーダ（以下、ＨＤレコーダとする。）３は、ネットワーク２に接続され、カメラ１から送られるデジタル映像を受信し、記録する。
【００２０】
図２は、ＨＤレコーダ３の機能ブロック図である。ＨＤレコーダ３は、ＣＰＵを含む制御部３１、メモリ３２、通信Ｉ／Ｆ（Ｉｎｔｅｒ  Ｆａｃｅ）３３、ハードディスク３４、およびディスプレイ３５を備えている。また、ＨＤレコーダ３の装置正面にはパネルキー等からなる入力部３６や、電源、録画状態等の状態表示を行うＬＥＤ（図示せず）が設けられている。
【００２１】
制御部３１は、通信Ｉ／Ｆ３３を介してカメラ１から送信されたデジタル映像を受信すると、デジタル映像を圧縮処理したのち、ハードディスク３４に記録する。このように、ＨＤレコーダ３は、複数のカメラ１が撮影した映像を記録する基本的な機能を備える。また、ＨＤレコーダ３は、記録した映像を、外部ネットワーク９に配信する機能なども備えている。
【００２２】
また、ＨＤレコーダ３は、拡張ユニット４を接続することが可能である。これにより、デジタル映像記録システムによって蓄積することのできるデータの容量を拡大させることが可能である。
【００２３】
＜２．テスト機能＞
次に、本実施の形態のデジタル映像記録システムが備えるテスト機能について説明する。ＨＤレコーダ３は、システム全体の伝送品質テストをシステムの運用前に実行する。
【００２４】
図３に示すように、ＨＤレコーダ３は、システム運用前に、全てのカメラ１，１・・・に対して、開始要求データ５０を送信する。これに対して、開始要求データ５０を受信したカメラ１は、ＨＤレコーダ３に対してダミーデータ５１を送信する。ＨＤレコーダ３は、各カメラ１から返送されたダミーデータ５１を受信することによって、伝送品質の測定を行う。ダミーデータ５１は、カメラ１が送信する映像データや音声データを擬似的に作成したデータであり、カメラ１のメモリにあらかじめ格納されている。複数のカメラ１，１・・・は、同一内容（つまり、同一データサイズ）のダミーデータ５１を保持している。
【００２５】
図４を参照しながら、テスト機能の詳細な処理内容について説明する。ＨＤレコーダ３の制御部３１は、図に示すように、測定部３１１、パラメータ決定部３１２、パラメータ送信部３１３、条件設定部３１４を備える。これら各機能部は、たとえば、メモリに格納されたプログラムがＣＰＵ上で実行されることにより実現される機能部である。
【００２６】
まず、測定部３１１がシステム運用前に、開始要求データ５０を各カメラ１に送信する。開始要求データ５０を受信した各カメラ１は、次々にダミーデータ５１をＨＤレコーダに対して送信する。
【００２７】
本実施の形態において、ネットワーク２はＩＰネットワークであり、ネットワーク２上で送信されるデータは、ＩＰパケットデータとして送信される。したがって、ダミーデータ５１は、複数のＩＰパケットデータに分割されて送信されることになる。
【００２８】
測定部３１１は、各カメラ１から送信されたダミーデータ５１の各パケットデータを受信する。そして、測定部３１１は、開始要求データ５０を送信した時刻から、全てのカメラ１から送信されたダミーデータ５１の全ての最終パケットデータを受信するまでの時間を測定する。そして、この測定結果からシステム伝送速度を算出するのである。
【００２９】
また、ＩＰパケットデータ内のＴＣＰパケットデータもしくはＲＴＰパケットデータには、パケットの順序を示すＩＤに相当する情報が付与されているので、測定部３１１は、全てのＩＰパケットデータが漏れなく受信できたか否かの判断を行う。
【００３０】
測定部３１１は、以上の測定を行うと、テスト結果データ６１をメモリ３２に記録する。テスト結果データ６１のデータ内容の一例を図５に示す。テスト結果データ６１は、図５に示すように、伝送速度と応答状態の情報が含まれる。伝送速度とは、前述したように、ダミーデータ５１の受信によって測定したシステム全体の伝送速度である。応答状態とは、全てのＩＰパケットデータが受信できなかったカメラ１のＩＤ番号等が記録される。
【００３１】
このように、システム運用前に、ＨＤレコーダ３は、伝送品質としてシステム全体の伝送速度と応答状態を把握することができる。測定部３１１は、あらかじめ、伝送速度の要求条件を管理しており、この要求条件と測定した伝送速度とを比較することにより、システムが設置環境下において要求条件を満たすか否かの判定を行う。この結果、要求条件を満たさない場合には、たとえば、ディスプレイ３５に警告メッセージが表示される。また、全てのＩＰパケットデータを受信することができなかったカメラ１については、運用前に障害を検知することが可能である。この場合、たとえば、ＩＰパケットを正常に受信できなかったカメラ１のカメラＩＤがディスプレイ３５に表示される。
【００３２】
＜３．カメラパラメータ設定機能＞
次に、カメラパラメータ設定機能について説明する。前述の如く、測定部３１１がテスト結果データ６１をメモリ３２に記録すると、次に、パラメータ決定部３１２は、テスト結果データ６１および条件データ６２を読み込んで、カメラ設定用のパラメータを決定する。
【００３３】
ここで、条件データ６２は、ユーザ要求条件をあらかじめ登録したデータである。条件データ６２のデータ項目の一例を図６に示す。条件データ６２は、「画質」、「コマ数」、「保存期間」の３つの項目についてユーザ要求条件を登録している。
【００３４】
図７は、条件データ６２を入力するためのユーザインタフェース７１の一例を示している。ユーザインタフェース７１は、ディスプレイ３５に表示される画面であり、オペレータは、入力部３６を操作することにより、ユーザインタフェース７１に対して入力指示を行う。
【００３５】
ここでは、「画質」については、”高い”、”ふつう”、”あらい”の３つの項目から選択可能であり、「コマ数」については、”なめらか”、”ふつう”、”あらい”の３つの項目から選択可能であり、「保存期間」については、”１ヶ月”、”１週間”、”１日”の３つの項目から選択可能としている。他にも、保存期間については、任意の期間を指定できるようにしてもよい。また、ユーザは、必ずしも「画質」、「コマ数」、「保存期間」の全てについて条件を入力する必要はなく、これらの中のいずれかの条件について入力を行うことが可能である。
【００３６】
このようなユーザインタフェース７１を利用し、ユーザが項目を入力すると、条件設定部３１４は、入力された情報に基づき、条件データ６２を作成して、メモリ３２に記録するのである。
【００３７】
パラメータ決定部３１２は、条件データ６２を満たし、かつ、テスト結果データ６１に記録された伝送速度に基づいて実現可能な範囲の最適なカメラ設定用パラメータを決定する。決定されたパラメータは、パラメータデータ６３としてメモリ３２に記録される。
【００３８】
図８は、パラメータデータ６３のデータ内容の一例を示す図である。パラメータデータ６３は、「圧縮率」、「解像度」、「伝送コマ数」の３つの項目を含んでいる。そして、条件データ６２で規定されるユーザ要求条件のうち、「画質」は、主に、「圧縮率」と「解像度」によって決定される。条件データ６２で規定されるユーザ要求条件のうち、「コマ数」は、「伝送コマ数」によって決定される。
【００３９】
ユーザがより良い映像を参照することを目的とするならば、パラメータ決定部３１２は、できるだけ「圧縮率」を小さくし、できるだけ「解像度」を高くし、できるだけ「伝送コマ数」を大きくすることが望ましい。しかし、システムの実現可能な伝送速度が測定されているため、その能力を超えない範囲で、パラメータ決定部３１２は、３つのパラメータを決定するのである。また、ＨＤレコーダ３が蓄積することのできるデジタル映像データのサイズにも限度があるので、パラメータ決定部３１２は、ディスク容量も考慮した上で３つのパラメータを決定するのである。さらに、その際、条件データ６２に記録されているユーザ要求条件を満たすようにパラメータを決定する。
【００４０】
すなわち、パラメータ決定部３１２は、ユーザ要求条件とディスク容量の制限を満たしながら、測定された伝送速度に応じて最も品質の良いデジタル映像が記録されるように、最適なパラメータを選択するのである。
【００４１】
たとえば、ユーザ要求条件として「保存期間」が長く設定されていれば、それに応じて、「圧縮率」を高めることや、「解像度」を低下させるなどの調整を行う必要がある。逆に、「保存期間」が短く設定されていれば、「圧縮率」を低下させることや、「解像度」を高くするなどの調整が可能である。
【００４２】
このようにして、パラメータデータ６３が記録されると、パラメータ送信部３１３は、全てのカメラ１，１・・・にパラメータデータ６３を送信する。各カメラ１は、パラメータデータ６３を受信すると、受信したパラメータデータ６３に従ってパラメータを設定するのである。これにより、ユーザは、カメラ１のパラメータについては、ユーザ要求条件を登録しておくだけでよく、実際のパラメータ値は、システムが自動的に決定する。さらに、複数あるカメラ１，１・・・に個別にパラメータを設定する作業が不要であり、ＨＤレコーダ３が遠隔操作により自動的にカメラ１のパラメータを設定するので、運用準備の負担が軽減される。
【００４３】
＜４．障害要因判定機能＞
次に、図９を参照しながら障害要因判定機能について説明する。ＨＤレコーダ３の制御部３１は、図に示すように、ログ取得部３１５、判定部３１６を備える。これら各機能部は、たとえば、メモリに格納されたプログラムがＣＰＵ上で実行されることにより実現される機能部である。なお、図４で示した各機能部は、図示省略している。
【００４４】
ログ取得部３１５は、各カメラ１との間で通信を行い、各カメラ１の単位時間あたりの通信速度をロギングする。ログ取得部３１５は、ロギングにより取得したログデータ６４をメモリ３２に記録する。
【００４５】
図１０は、ログデータ６４のデータ内容の一例を示す図である。ログデータ６４は、「カメラＩＤ」、「時刻」、「通信速度」の３つの項目を含んでいる。そして、各カメラについて、このようなデータが所定の時間間隔で連続して取得される。これにより、各カメラ１の単位時間あたりの通信速度を記録するようにしている。
【００４６】
判定部３１６は、メモリ３２に記録されたログデータ６４とモデルデータ６５、およびマトリクスデータ６６に基づいて障害判定を行う。
【００４７】
モデルデータ６５は、障害時に発生する様々な通信速度の変化をパターン化したデータである。たとえば、図１１ないし図１４に示す４つの波形のデータが記録されている。図１１ないし図１４に示す破線６５１は、システムの運用上要求される伝送速度の最低ラインである。
【００４８】
図１１は、接続不良波形データ６５ａを示す。これは、あるとき突然通信量がゼロになり、その後通信速度が通常値とゼロ値を往復するものである。通常値とゼロ値の往復間隔は不定である。
【００４９】
図１２は、劣化波形データ６５ｂを示す。これは、時間とともに、だんだん通信量が落ちるパターンである。タイムスケールは非常に長いスパンで発生することが多い。
【００５０】
図１３は、人為負荷波形データ６５ｃを示す。特に、システム内の構成に変化があったわけでもなく、トラフィック量が一定量減少する。ただし、ゼロ値にはならない。そして、トラフィック量は一旦回復するが、再び減少するといったパターンである。
【００５１】
図１４は、切断波形データ６５ｄを示す。あるとき、突然通信量がゼロ値になり、その後、通信量が復帰しないパターンである。
【００５２】
判定部３１６は、このようなモデルデータ６５とログデータ６４とを比較することにより、障害の判定を行うが、判定部３１６は、あらかじめ特定の障害の種別を定義している。たとえば表１に示すような障害種別が定義されている。
【００５３】
【表１】
2004363781.tif 000003
【００５４】
そして、判定部３１６は、表２に示すマトリクスデータ６６に従って、障害の判定を行う。
【００５５】
【表２】
2004363781.tif 000004
【００５６】
表２における障害要因ｆ１，ｆ２，・・・ｆ８は、表１におけるｆ１，ｆ２，・・・ｆ８と対応している。また、表２における二重マルは当該要因の可能性が高いことを示し、一重マルは当該要因の可能性があることを示す。また、三角は当該要因の可能性が低いことを示し、横ラインは当該要因の可能性がない（あるいはないに等しい）ことを示す。
【００５７】
そして、表２に示すように、現象と要因のマトリクスは、変化パターンとのマッチングにおいて、マッチングしたカメラの台数も考慮するようにしている。つまり、特定の１台のカメラについてモデルデータ６５とマッチングするのか、特定の数台のカメラについてモデルデータ６５とマッチングするのか、システム全てのカメラについてモデルデータ６５とマッチングするのかを障害判定の基準としているのである。
【００５８】
判定部３１６による判定処理の一例を示す。たとえば、全てのカメラ１の通信ログが切断波形データ６５ｄとマッチングする場合には、表２より、障害要因はｆ１，ｆ４，ｆ５の３種類の可能性が高く、また、障害要因ｆ７，ｆ８の可能性も存在すると判定される。障害要因ｆ１，ｆ４，ｆ５，ｆ７，ｆ８の内容は、表１に示すとおりである。
【００５９】
また、１台のカメラ１の通信ログが接続不良波形データ６５ａとマッチングする場合には、表２より、障害要因はｆ２，ｆ３の２種類の可能性が高いと判定できる。あるいは、数台のカメラ１が劣化波形データ６５ｂとマッチングする場合には、障害要因ｆ４，ｆ６の可能性が存在すると判定できる。
【００６０】
障害要因を判定すると、判定部３１６は、判定結果をディスプレイ３５に出力する。たとえば、障害要因の内容の表示とともにこれら障害要因の可能性の程度を示すメッセージが表示される。
【００６１】
このように、本実施の形態によれば、あらかじめ用意されたモデルデータ６５と通信ログを記録したログデータ６４により障害を判定するので、通信状態からネットワークシステムにおける障害発生の要因を予測することが可能である。また、モデルデータ６５にマッチングする通信ログが記録されたカメラ１の台数に応じて障害判定を行うようにしているので、障害要因の予測精度を高めることが可能である。
【００６２】
＜５．セキュリティ機能＞
次に、図１５を参照しながらセキュリティ機能について説明する。ＨＤレコーダ３の制御部３１は、図に示すように、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ３１７、アドレス判定部３１８を備える。これら各機能部は、たとえば、メモリに格納されたプログラムがＣＰＵ上で実行されることにより実現される機能部である。なお、図４、図９で示した各機能部は、図示省略している。
【００６３】
ＤＨＣＰサーバ３１７は、ネットワーク２に新たに接続された各カメラ１，１・・・からＩＰアドレスの取得要求を受け、これに応答して各カメラ１，１・・・にＩＰアドレスを付与する機能を備える。
【００６４】
ここで、デジタル映像記録システムでは、ＤＨＣＰサーバ３１７は、あらかじめ接続されることが予定されたカメラにのみＩＰアドレスを付与することとしている。
【００６５】
ネットワーク２に接続されたコンピュータやネットワークカメラなどのノードは、通信を行う際に、ハードウェアに固有のＭＡＣアドレスを使用する。ＤＨＣＰサーバ３１７が、ＩＰアドレスの取得要求を受けると、アドレス判定部３１８は、要求元のノードのＭＡＣアドレスがＩＰアドレスを付与してよいノードであるか否かの判定を行う。
【００６６】
この判定を行うために、メモリ３２に許可アドレスデータ６７が記録されている。この許可アドレスデータ６７は、設置することが予定されているカメラ１のＭＡＣアドレスのアドレス体系が書き込まれている。ＭＡＣアドレスは、ネットワーク機器のメーカや製品によって、上位の桁数に共通の番号が使用されているため、この共通部分を参照することにより、判定を行うことが可能である。
【００６７】
アドレス判定部３１８により、アドレスを付与することが許可できると判定された場合には、ＤＨＣＰサーバ３１７は、要求元のカメラ１にＩＰアドレスを付与する。一方、アドレスを付与することが許可できないと判定された場合には、ＤＨＣＰサーバ３１７は、要求元のノードにＩＰアドレスを付与しない。
【００６８】
このような処理を行うことにより、予定されていなかったコンピュータなどのノードが許可なくネットワーク２に接続され、余分なトラフィックを発生させたり、あるいは、ネットワーク２上を流れるデジタル映像を不正に取得するといった行為を防止することが可能である。
【００６９】
【発明の効果】
以上説明したように、請求項１記載の発明では、システムの運用前にシステムの伝送品質を測定するので、システム運用をスムーズに開始することが可能である。
【００７０】
請求項２記載の発明では、各カメラから送信された擬似データにより伝送速度を測定するので、設置環境と近い状態で伝送品質を測定することが可能である。
【００７１】
請求項３記載の発明では、パケットの受信状態により、運用前段階において障害の発生しているカメラを判別可能である。
【００７２】
請求項４記載の発明では、測定した伝送速度に応じてパラメータが設定されるので、パラメータ設定負担が軽減される。
【００７３】
請求項５記載の発明では、パラメータはユーザ要求条件を満足するように決定されるので、利便性が高い。
【００７４】
請求項６記載の発明では、蓄積することのできるデジタル映像の容量に応じてパラメータが設定されるので、ユーザによる設定負担がより軽減される。
【００７５】
請求項７記載の発明では、通信ログと変化パターンをマッチングさせることにより、障害判定を行うので、障害発生時の対応を迅速に行うことが可能である。
【００７６】
請求項８記載の発明では、変化パターンとマッチングしたカメラの台数に応じて障害判定を行うので、より障害判定の精度を高めることが可能である。
【００７７】
請求項９記載の発明では、予定されたカメラにのみＩＰアドレスを付与するので、セキュリティを高めることが可能である。
【図面の簡単な説明】
【図１】本実施の形態にかかるデジタル映像記録システムの全体概略図である。
【図２】本実施の形態にかかるハードディスクレコーダの機能ブロック図である。
【図３】運用前テスト処理のイメージ図である。
【図４】テスト処理およびパラメータ設定処理に関わる機能ブロック図である。
【図５】テスト結果データのデータ内容を示す図である。
【図６】条件データのデータ内容を示す図である。
【図７】条件設定のユーザインタフェースを示す図である。
【図８】パラメータデータのデータ内容を示す図である。
【図９】障害要因判定処理に関わる機能ブロック図である。
【図１０】ログデータのデータ内容を示す図である。
【図１１】接続不良波形データを示す図である。
【図１２】劣化波形データを示す図である。
【図１３】人為負荷波形データを示す図である。
【図１４】切断波形データを示す図である。
【図１５】アドレス付与に関わる機能ブロック図である。
【符号の説明】
１    カメラ
２    ネットワーク
３    ハードディスクレコーダ
２１  ＬＡＮケーブル
２２  ＨＵＢ
３１  制御部
３２  メモリ
３４  ハードディスク
３５  ディスプレイ
【図１】
2004363781.tif 000005
【図２】
2004363781.tif 000006
【図３】
2004363781.tif 000007
【図４】
2004363781.tif 000008
【図５】
2004363781.tif 000009
【図６】
2004363781.tif 000010
【図７】
2004363781.tif 000011
【図８】
2004363781.tif 000012
【図９】
2004363781.tif 000013
【図１０】
2004363781.tif 000014
【図１１】
2004363781.tif 000015
【図１２】
2004363781.tif 000016
【図１３】
2004363781.tif 000017
【図１４】
2004363781.tif 000018
【図１５】
2004363781.tif 000019